(57)【要約】【課題】リールがオーバーランしても緩んだ線状材がリールの鍔部を乗り越えず、線状材を引き出すことのできる乗り越え防止板を提供する。【解決手段】２つの乗り越え防止板４０は、リールの一対の鍔部間に挿入可能な幅を有した乗り越え防止板本体部４１と、この乗り越え防止板本体部４１の長さ方向の両端部の両側部に、リールの鍔部の外周面に一部が当接するようにそれぞれ側方に突出させて設けられた突出部４４Ａ，４４Ｂとを備え、一方の乗り越え防止板４０は、長手方向の中央部よりも一端側寄りで、両端側の突出部４４Ａ，４４Ｂの間に屈曲部４２を備えるとともに、一端側寄りで、屈曲部４２を含む部分に収容箱の引き出し口に対応した開口部４３を備え、他方の乗り越え防止板４０は、長手方向の中央部よりも一端側寄りで、両端側の突出部４４Ａ，４４Ｂの間に屈曲部４２を備える。【選択図】図２
2010111491.tif 000002
【特許請求の範囲】
【請求項１】
直方体の収容箱内に軸を介して回転自在に支持されたリールに巻かれた線状材の外周面に沿うように屈曲しかつ前記線状材の外周面に対向させて設けられ、かつ前記リールを間にして対向して備えられ、前記リールに巻き付けられた前記線状材を前記収容箱に設けた引き出し口から引き出したときに前記リールがオーバーランして緩んだ前記線状材が前記リールの鍔部を乗り越えるのを防止する乗り越え防止板であって、
前記両乗り越え防止板は、前記リールの一対の鍔部間の幅にほぼ等しい幅を有し、前記鍔部間に挿入可能な乗り越え防止板本体部と、この乗り越え防止板本体部の長さ方向の両端部の両側部に、前記鍔部の外周面に一部が当接するようにそれぞれ側方に突出させて設けられた突出部と、を備え、
一方の前記乗り越え防止板は、長手方向の中央部よりも一端側寄りで、前記両端側の突出部の間に屈曲部を備えるとともに、前記一端側寄りで、前記屈曲部を含む部分に前記引き出し口に対応した開口部を備え、
他方の前記乗り越え防止板は、長手方向の中央部よりも一端側寄りで、前記両端側の突出部の間に屈曲部を備え、
前記両乗り越え防止板を前記リールに巻かれた前記線状材の外周面に沿うように屈曲しかつ前記線状材の外周面に対向した状態を維持するために前記両乗り越え防止板の両端部を、前記収容箱の対向した内面に当接させるとともに、前記両乗り越え防止板の前記他端部が当接する前記収容箱の内面から前記両乗り越え防止板の前記屈曲部までの長さを前記両乗り越え防止板の前記他端部が当接する前記収容箱の内面から前記リールの中心までの長さよりも長くした、
ことを特徴とする乗り越え防止板。
【請求項２】
請求項１に記載の乗り越え防止板において、
前記他方の乗り越え防止板にも、前記開口部を備えた、
ことを特徴とする乗り越え防止板。
【請求項３】
請求項１または請求項２に記載の乗り越え防止板において、
前記乗り越え防止板における前記一端側の前記突出部の長さ方向の長さよりも、前記他端側の前記突出部の長さ方向の長さが長い、
ことを特徴とする乗り越え防止板。
【請求項４】
直方体の収容箱内に軸を介して回転自在に支持されたリールに巻かれた線状材を、前記収容箱に設けた引き出し口から引き出す線状材繰り出し装置において、
請求項１から請求項３のいずれか１項に記載の両乗り越え防止板を前記リールに巻かれた前記線状材の外周面に沿うように屈曲しかつ前記線状材の外周面に対向した状態を維持するために前記両乗り越え防止板の両端部を、前記収容箱の対向した内面に当接させるとともに、前記両乗り越え防止板の他端部が当接する前記収容箱の内面から前記両乗り越え防止板の屈曲部までの長さを前記両乗り越え防止板の前記他端部が当接する前記収容箱の内面から前記リールの中心までの長さよりも長くした、
ことを特徴とする線状材繰り出し装置。
【発明の詳細な説明】
【技術分野】
【０００１】
この発明は、リールに巻かれた線状材、例えば光ファイバケーブルを収容箱から引き出すときに線状材がリールの鍔部を乗り越えるのを防止する乗り越え防止板、および、この乗り越え防止板を使用した線状材繰り出し装置に関するものである。
【背景技術】
【０００２】
線状材繰り出し装置は、収容箱内に軸を介して回転自在に支持されたリールに巻かれた線状材を、収容箱に設けた引き出し口から引き出す構成とされている（例えば、特許文献１、特許文献２参照。）。
【特許文献１】特開平８−２２５２５３号公報
【特許文献２】特開平１１−３３５００４号公報
【発明の開示】
【発明が解決しようとする課題】
【０００３】
収容箱から突出した線状材を引っ張って線状材繰り出し装置から線状材を引き出すと、線状材を引っ張ることにより、リールがオーバーランして線状材の巻きが収容箱内において緩むことがある。そして、緩んだ線状材はリールの鍔部を乗り越えて鍔部と、リールを回転可能に支持する軸受け板、または、収容箱の内面との間へ入り込んで絡むことがあり、場合によっては線状材の引き出しが不可能になることがあった。
【０００４】
この発明は、上記したような不都合を解消するためになされたもので、リールがオーバーランしても緩んだ線状材がリールの鍔部を乗り越えず、線状材を引き出すことのできる乗り越え防止板、および、線状材繰り出し装置を提供するものである。
【課題を解決するための手段】
【０００５】
請求項１に記載の発明は、直方体の収容箱内に軸を介して回転自在に支持されたリールに巻かれた線状材の外周面に沿うように屈曲しかつ前記線状材の外周面に対向させて設けられ、かつ前記リールを間にして対向して備えられ、前記リールに巻き付けられた前記線状材を前記収容箱に設けた引き出し口から引き出したときに前記リールがオーバーランして緩んだ前記線状材が前記リールの鍔部を乗り越えるのを防止する乗り越え防止板であって、前記両乗り越え防止板は、前記リールの一対の鍔部間の幅にほぼ等しい幅を有し、前記鍔部間に挿入可能な乗り越え防止板本体部と、この乗り越え防止板本体部の長さ方向の両端部の両側部に、前記鍔部の外周面に一部が当接するようにそれぞれ側方に突出させて設けられた突出部と、を備え、一方の前記乗り越え防止板は、長手方向の中央部よりも一端側寄りで、前記両端側の突出部の間に屈曲部を備えるとともに、前記一端側寄りで、前記屈曲部を含む部分に前記引き出し口に対応した開口部を備え、他方の前記乗り越え防止板は、長手方向の中央部よりも一端側寄りで、前記両端側の突出部の間に屈曲部を備え、前記両乗り越え防止板を前記リールに巻かれた前記線状材の外周面に沿うように屈曲しかつ前記線状材の外周面に対向した状態を維持するために前記両乗り越え防止板の両端部を、前記収容箱の対向した内面に当接させるとともに、前記両乗り越え防止板の前記他端部が当接する前記収容箱の内面から前記両乗り越え防止板の前記屈曲部までの長さを前記両乗り越え防止板の前記他端部が当接する前記収容箱の内面から前記リールの中心までの長さよりも長くしたことを特徴とする。
【０００６】
請求項２に記載の発明は、請求項１に記載の乗り越え防止板において、前記他方の乗り越え防止板にも、前記開口部を備えたことを特徴とする。
【０００７】
請求項３に記載の発明は、請求項１または請求項２に記載の乗り越え防止板において、前記乗り越え防止板における前記一端側の前記突出部の長さ方向の長さよりも、前記他端側の前記突出部の長さ方向の長さが長いことを特徴とする。
【０００８】
請求項４に記載の発明は、直方体の収容箱内に軸を介して回転自在に支持されたリールに巻かれた線状材を、前記収容箱に設けた引き出し口から引き出す線状材繰り出し装置において、請求項１から請求項３のいずれか１項に記載の両乗り越え防止板を前記リールに巻かれた前記線状材の外周面に沿うように屈曲しかつ前記線状材の外周面に対向した状態を維持するために前記両乗り越え防止板の両端部を、前記収容箱の対向した内面に当接させるとともに、前記両乗り越え防止板の他端部が当接する前記収容箱の内面から前記両乗り越え防止板の屈曲部までの長さを前記両乗り越え防止板の前記他端部が当接する前記収容箱の内面から前記リールの中心までの長さよりも長くしたことを特徴とする。
【発明の効果】
【０００９】
この発明によれば、リールがオーバーランして緩んだ線状材が乗り越え防止板によってリールの鍔部を乗り越えるのを防止（阻止）され、緩んだ線状材が鍔部を乗り越えなくなるので、リールがオーバーランして停止したときに一時的に緩んだ状態の線状材を容易に引き出すことができる。また、乗り越え防止板の他端部から屈曲部までの長さが乗り越え防止板の他端部が当接する収容箱の内面からリールの中心までの長さよりも長くしたので、乗り越え防止板が収容箱内で移動しなくなり、乗り越え防止板の所期の機能を維持することができる。
【００１０】
そして、対向した一対の乗り越え防止板を同じ形状にしたので、乗り越え防止板の製造および装着が容易になる。さらに、乗り越え防止板における一端側の突出部の長さ方向の長さよりも、他端側の突出部の長さ方向の長さを長くしたので、他端側の突出部を鍔部の外周面に当接させて乗り越え防止板を倒れなくすることができ、乗り越え防止板の所期の機能を維持することができる。
【発明を実施するための最良の形態】
【００１１】
以下、この発明の実施形態を図面を参照して説明する。
【００１２】
図１はこの発明の一実施形態である線状材繰り出し装置の分解斜視図、図２（ａ），（ｂ）は乗り越え防止板を真っ直ぐに伸ばした状態の正面図、図３は組み立てた状態の線状材繰り出し装置の斜視図、図４は収容箱を仮想線で示した組み立てた状態の線状材繰り出し装置の正面図、図５は収容箱を仮想線で示した組み立てた状態の線状材繰り出し装置の平面図、図６は軸受け板とリールと乗り越え防止板とを示す説明図である。
【００１３】
図１を参照して線状材繰り出し装置について説明する。
【００１４】
線状材繰り出し装置１は、収容箱１０と、この収容箱１０内に収容される軸２０と、この軸２０に回転自在に軸支されるリール３０と、このリール３０に巻かれた線状材（例えば、光ファイバケーブル）Ｗの外周面に沿うように屈曲され、かつ前記外周面に対向するように互いに対向位置に配置される一対（２つ）の乗り越え防止板４０とで構成されている。
【００１５】
上記した収容箱１０は、紙製（例えば、段ボール製）の直方体形状とされ、正面部１１Ｓと背面部１１Ｈとに取っ手用の開口１２が形成され、正面部１１Ｓの開口１３よりも下側の位置に線状材Ｗを引き出す引き出し口１３が設けられている。そして、収容箱１０の左、右側面部１１Ｌ，１１Ｒの内側の形状は、例えば一辺が３４２ｍｍの正方形とされている。そして、収容箱１０の正面部１１Ｓと背面部１１Ｈとの上端には中フラップ１４が設けられ、また、右側面部１１Ｒの上端には右側面部１１Ｒとの境に挿入孔１６を備えた内フラップ１５が設けられ、また、左側面部１１Ｌの上端には、右側面部１１Ｒの挿入孔１６へ挿入する挿入片１８を右側面部１１Ｒに対応する端に備えた上蓋１７が設けられている。
【００１６】
したがって、各中フラップ１４を内側へ折り曲げ、内フラップ１５を内側へ折り曲げた後、上蓋１７を内側へ折り曲げながら挿入片１８を内側へ折り曲げて挿入孔１６内へ挿入することにより、蓋をすることができ、収容箱１０を閉じることができる。
【００１７】
上記した軸２０は、紙製の円筒で、円形の軸支孔２２を中心に有した軸受け板２１で左右両端部を支持されている。なお、軸２０の長さは、収容箱１０の左、右側面部１１Ｌ，１１Ｒの内寸法、例えば２３５ｍｍにほぼ等しくされている。そして、両軸受け板２１は、収容箱１０の左、右側面部１１Ｌ，１１Ｒの内面とほぼ等しい正方形とされている。
【００１８】
上記したリール３０は、紙製（例えば、段ボール製）で、円筒状の巻胴３１の両側に軸受け板２１の一辺よりも短い直径、例えば３３０ｍｍの円形に形成された鍔部３２が設けられている。そして、両鍔部３２の中心には、軸２０が回転自在に挿入される円形の挿入孔３３が設けられている。そして、両鍔部３２と軸受け板２１との間には、リール３０が回転する際の摩擦抵抗を少なくし、低張力で線状材Ｗを引き出せるようにするために、外径の小さな紙製（例えば、段ボール製）のリング３５が配置される。なお、軸２０を軸受け板２１（軸支孔２２）、リング３５、リール３０（挿入孔３３）、リング３５、軸受け板２１（軸支孔２２）に順次挿入した場合、２つの軸受け板２１の厚さと、２つのリング３５の厚さと、リール３０の軸方向の長さとの合計寸法は、軸２０の長さにほぼ等しくされている。
【００１９】
上記した２つの乗り越え防止板４０は、紙製（例えば、段ボール製）で、長さ方向（上下方向）の長さが収容箱１０の底部１１Ｂから中フラップ１４までの内法寸法（ほぼ３４２ｍｍ）よりも長く、例えば３７０ｍｍとされている。そして、２つの乗り越え防止板４０は、図２（ａ）に示すように、リール３０の一対の鍔部３２間の幅にほぼ等しい幅を有し、鍔部３２間に挿入可能な乗り越え防止板本体部４１と、この乗り越え防止板本体部４１の長さ方向の両端部の両側部に、長さ方向とほぼ直交させて直角にそれぞれリール３０の鍔部３２の厚さにほぼ等しい寸法だけ突出させて設けられ、鍔部３２の外周面に一部が当接する突出部４４Ａ，４４Ｂとを備えている。上記突出部４４Ａ，４４Ｂは、乗り越え防止板４０の長手方向（上下方向）の両端部付近の両側に、側方へ直角に突出して備えられている。なお、乗り越え防止板４０の一端側（上端側）の突出部４４Ａの長さ方向（上下方向）の長さ（例えば、５０ｍｍ）よりも、乗り越え防止板４０の他端側（下端側）の突出部４４Ｂの長さ方向（上下方向）の長さ（例えば、１００ｍｍ）の方が長くなっている。そして、乗り越え防止板４０（乗り越え防止板本体部４１）は、長手方向の中央部よりも一端側（上側）寄り、例えば一端（上端）から１５０ｍｍの位置、すなわち、上下の突出部４４Ａ，４４Ｂの間に幅方向（長さ方向と直交する方向）に屈曲部４２を備えるとともに、長手方向の中央部よりも一端寄りで、かつ、上下の突出部４４Ａ，４４Ｂの間で、屈曲部４２を含む部分に引き出し口１３に対応させて線状材Ｗを引き出す開口部４３を備えている。このように、２つの乗り越え防止板４０を同じ形状にすることにより、乗り越え防止板４０の製造が容易になるとともに、乗り越え防止板４０の表裏などを考慮せずに装着できることにより、乗り越え防止板４０の装着が容易になる。
【００２０】
なお、収容箱１０内の引き出し口１３（正面部１１Ｓ）側に配置される乗り越え防止板４０と互いに対向する乗り越え防止板４０は、リール３０から引き出す線状材Ｗを通過させる必要がないので、図２（ｂ）に示すように、開口部４３のないものであってもよい。
【００２１】
次に、組み立てについて説明する。
【００２２】
まず、線状材Ｗを巻き付けたリール３０を軸２０、軸受け板２１およびリング３５を使用して回転自在に支持し、屈曲部４２で屈曲させて一端側を上側にして一端側を接近させた２つの乗り越え防止板４０をリール３０に巻かれた線状材Ｗの外周面に沿うように対向させた状態で収容箱１０内に収容する。そして、２つの乗り越え防止板４０をリール３０に巻かれた線状材Ｗの外周面に沿うように屈曲した状態に維持するために収容箱１０に蓋をして閉じると、図３〜図６に示すように、屈曲部４２よりも他端側（下側）の乗り越え防止板４０が正面部１１Ｓと背面部１１Ｈとの内面に当接し、乗り越え防止板４０の他端（下端）が底部１１Ｂの内面に当接するとともに、乗り越え防止板４０の一端（上端）が中フラップ１４の内面に当接する。
【００２３】
このように、２つの乗り越え防止板４０をリール３０とともに収容箱１０内に収容させると、屈曲部４２の両側に位置する乗り越え防止板本体部４１がリール３０の鍔部３２間に入り、屈曲部４２よりも上側の乗り越え防止板４０同士が接近し、４つの突出部４４Ａ，４４Ｂの一部が鍔部３２の外周面に当接した状態になる。この組み合わせ状態において、乗り越え防止板本体部４１の両側部とリール３０の両鍔部３２との間隙（クリアランス）は、線状材Ｗが外部へ乗り出すことのない微小な間隙に保持される。そして、乗り越え防止板４０の他端部が当接する収容箱１０の底部１１Ｂの内面から乗り越え防止板４０の屈曲部４２までの長さが、乗り越え防止板４０の他端部が当接する収容箱１０の底部１１Ｂの内面からリール３０の中心までの長さよりも長くなる。したがって、乗り越え防止板４０が収容箱１０内で移動しなくなり、乗り越え防止板４０の所期の機能を維持することができる。また、突出部４４Ａの長さ方向の長さよりも、突出部４４Ｂの長さ方向の長さを長くしたので、突出部４４Ｂを鍔部３２の外周面に当接させて乗り越え防止板４０を倒れなくすることができ、乗り越え防止板４０の所期の機能を維持することができる。
【００２４】
次に、線状材Ｗの引き出しについて説明する。
【００２５】
まず、リール３０から乗り越え防止板４０の開口部４３、収容箱１０の引き出し口１３を通して収容箱１０の外側へ導出させた線状材Ｗを所定長引き出すと、図６においてリール３０が時計方向へ回転するので、線状材繰り出し装置１から線状材Ｗを引き出すことができる。
【００２６】
このようにして線状材Ｗを所定長引き出すと、リール３０がオーバーランすることにより、リール３０に巻かれた線状材Ｗが緩み、緩んだ線状材Ｗがリール３０の鍔部３２を乗り越えようとするものの、線状材Ｗの外周面に沿うように屈曲、対向した乗り越え防止板４０の乗り越え防止板本体部４１と突出部４４Ａ，４４Ｂとで緩んだ線状材Ｗが鍔部３２を乗り越えるのを阻止（防止）する。すなわち、線状材Ｗの緩みを生じた部分は、リール３０に巻かれた線状材Ｗと乗り越え防止板本体部４１との間に収容される。したがって、リール３０がオーバーランしてリール３０に巻かれた線状材Ｗが緩んでも、緩んだ線状材Ｗがリール３０の鍔部３２と軸受け板２１との間に入らないため、リール３０がオーバーランして停止したときに一時的に線状材Ｗが緩んでも、緩んだ線状材Ｗを容易に引き出すことができる。
【００２７】
上記した実施形態では、軸２０を軸受け板２１で支持する例を示したが、軸を収容箱に直接差し渡して設ける構成としてもよい。また、線状材Ｗを光ファイバケーブルとして説明したが、紐、チューブなどの線状材であっても同様に機能する。
【図面の簡単な説明】
【００２８】
【図１】この発明の一実施形態である線状材繰り出し装置の分解斜視図である。
【図２】（ａ），（ｂ）は乗り越え防止板を真っ直ぐに伸ばした状態の正面図である。
【図３】組み立てた状態の線状材繰り出し装置の斜視図である。
【図４】収容箱を仮想線で示した組み立てた状態の線状材繰り出し装置の正面図である。
【図５】収容箱を仮想線で示した組み立てた状態の線状材繰り出し装置の平面図である。
【図６】軸受け板とリールと乗り越え防止板とを示す説明図である。
【符号の説明】
【００２９】
１      線状材繰り出し装置
１０    収容箱
１１Ｓ  正面部
１１Ｈ  背面部
１１Ｌ  左側面部
１１Ｒ  右側面部
１１Ｂ  底部
１２    開口
１３    引き出し口
１４    中フラップ
１５    内フラップ
１６    挿入孔
１７    上蓋
１８    挿入片
２０    軸
２１    軸受け板
２２    軸支孔
３０    リール
３１    巻胴
３２    鍔部
３３    挿入孔
３５    リング
４０    乗り越え防止板
４１    乗り越え防止板本体部
４２    屈曲部
４３    開口部
４４Ａ  突出部
４４Ｂ  突出部
Ｗ      線状材
【図１】
2010111491.tif 000003
【図２】
2010111491.tif 000004
【図３】
2010111491.tif 000005
【図４】
2010111491.tif 000006
【図５】
2010111491.tif 000007
【図６】
2010111491.tif 000008